(57)【特許請求の範囲】
【請求項１】
他の携帯端末から送られる当該携帯端末の識別子を取得する取得手段と、
自装置の識別子と、前記取得手段が取得した識別子のリストを送信する送信手段と
を有する複数の携帯端末と、
前記送信手段が送信した前記識別子と前記リストを受信する受信手段と、
前記受信手段が受信した識別子と、前記受信手段が受信した前記リストに含まれている識別子とを紐付ける紐付け手段と、
前記紐付け手段による紐付けの結果、紐付けされた識別子が複数のグループに分かれた場合、前記複数の携帯端末で構成されるグループの分裂を知らせる通知を、予め定められた通知先へ送る通知手段と
を有する監視装置と
を備え、
前記通知手段は、前記紐付け手段による紐付けの結果、紐付けされた識別子が複数のグループに分かれ、当該複数のグループの各々が予め定められた識別子を含む場合、グループの分裂を知らせる通知を送らない
グループ監視システム。
【請求項２】
他の携帯端末から送られる当該携帯端末の識別子を取得する取得手段と、
自装置の識別子と、前記取得手段が取得した識別子のリストを送信する送信手段と
を有する複数の携帯端末と、
前記送信手段が送信した前記識別子と前記リストを受信する受信手段と、
前記受信手段が受信した識別子と、前記受信手段が受信した前記リストに含まれている識別子とを紐付ける紐付け手段と、
前記紐付け手段による紐付けの結果、紐付けされた識別子が複数のグループに分かれた場合、前記複数の携帯端末で構成されるグループの分裂を知らせる通知を、予め定められた通知先へ送る通知手段と
を有する監視装置と
を備え、
前記取得手段は、予め定められた周期で前記識別子を所定期間取得し、
前記送信手段は、前記所定期間が終了する毎に、当該所定期間に取得した前記識別子のリストと、自装置の識別子を送信し、
前記紐付け手段は、予め定められた周期で前記紐付けを行い、
前記監視装置は、
前記紐付け手段による紐付けの結果を履歴として記憶する記憶手段と、
紐付け先が予め定められた変化をした識別子を前記記憶手段に記憶された履歴から特定する特定手段と
を有し、
前記特定手段は、単位時間あたりの紐付け先の変化の回数が予め定められた閾値以上である識別子を特定し、
特定した識別子の携帯端末のユーザーに係る情報を前記通知手段で送る
グループ監視システム。
【請求項３】
他の携帯端末から送られる当該携帯端末の識別子を取得する取得手段と、
自装置の識別子と、前記取得手段が取得した識別子のリストを送信する送信手段と
を有する複数の携帯端末と、
前記送信手段が送信した前記識別子と前記リストを受信する受信手段と、
前記受信手段が受信した識別子と、前記受信手段が受信した前記リストに含まれている識別子とを紐付ける紐付け手段と、
前記紐付け手段による紐付けの結果、紐付けされた識別子が複数のグループに分かれた場合、前記複数の携帯端末で構成されるグループの分裂を知らせる通知を、予め定められた通知先へ送る通知手段と
を有する監視装置と
を備え、
複数に分かれた識別子のグループのうち、含まれる識別子の数が多いグループに含まれる識別子を有する携帯端末へ前記通知を送る
グループ監視システム。
【請求項４】
他の携帯端末から送られる当該携帯端末の識別子を取得する取得手段と、
自装置の識別子と、前記取得手段が取得した識別子のリストを送信する送信手段と
を有する複数の携帯端末と、
前記送信手段が送信した前記識別子と前記リストを受信する受信手段と、
前記受信手段が受信した識別子と、前記受信手段が受信した前記リストに含まれている識別子とを紐付ける紐付け手段と、
前記紐付け手段による紐付けの結果、紐付けされた識別子が複数のグループに分かれた場合、前記複数の携帯端末で構成されるグループの分裂を知らせる通知を、予め定められた通知先へ送る通知手段と
を有する監視装置と
を備え、
複数に分かれた識別子のグループのうち、含まれる識別子の数が少ないグループに含まれる識別子を有する携帯端末へ前記通知を送る
グループ監視システム。
【請求項５】
他の携帯端末から送られる当該携帯端末の識別子を取得し、自装置の識別子と、取得した前記識別子のリストを送信する複数の携帯端末から、前記識別子と前記リストを受信する受信手段と、
前記受信手段が受信した識別子と、前記受信手段が受信したリストに含まれている識別子とを紐付ける紐付け手段と、
前記紐付け手段による紐付けの結果、紐付けされた識別子が複数のグループに分かれた場合、前記複数の携帯端末で構成されるグループの分裂を知らせる通知を、予め定められた通知先へ送る通知手段と
を有し、
前記通知手段は、前記紐付け手段による紐付けの結果、紐付けされた識別子が複数のグループに分かれ、当該複数のグループの各々が予め定められた識別子を含む場合、グループの分裂を知らせる通知を送らない
監視装置。
【請求項６】
他の携帯端末から送られる当該携帯端末の識別子を予め定められた周期で所定期間取得し、前記所定期間が終了する毎に、自装置の識別子と、当該所定期間に取得した前記識別子のリストを送信する複数の携帯端末から、前記識別子と前記リストを受信する受信手段と、
前記受信手段が受信した識別子と、前記受信手段が受信したリストに含まれている識別子とを予め定められた周期で紐付ける紐付け手段と、
前記紐付け手段による紐付けの結果、紐付けされた識別子が複数のグループに分かれた場合、前記複数の携帯端末で構成されるグループの分裂を知らせる通知を、予め定められた通知先へ送る通知手段と、
前記紐付け手段による紐付けの結果を履歴として記憶する記憶手段と、
紐付け先が予め定められた変化をした識別子を前記記憶手段に記憶された履歴から特定する特定手段と
を有し、
前記特定手段は、単位時間あたりの紐付け先の変化の回数が予め定められた閾値以上である識別子を特定し、
特定した識別子の携帯端末のユーザーに係る情報を前記通知手段で送る
監視装置。
【請求項７】
他の携帯端末から送られる当該携帯端末の識別子を取得し、自装置の識別子と、取得した前記識別子のリストを送信する複数の携帯端末から、前記識別子と前記リストを受信する受信手段と、
前記受信手段が受信した識別子と、前記受信手段が受信したリストに含まれている識別子とを紐付ける紐付け手段と、
前記紐付け手段による紐付けの結果、紐付けされた識別子が複数のグループに分かれた場合、前記複数の携帯端末で構成されるグループの分裂を知らせる通知を、予め定められた通知先へ送る通知手段と
を有し、
複数に分かれた識別子のグループのうち、含まれる識別子の数が多いグループに含まれる識別子を有する携帯端末へ前記通知を送る
監視装置。
【請求項８】
他の携帯端末から送られる当該携帯端末の識別子を取得し、自装置の識別子と、取得した前記識別子のリストを送信する複数の携帯端末から、前記識別子と前記リストを受信する受信手段と、
前記受信手段が受信した識別子と、前記受信手段が受信したリストに含まれている識別子とを紐付ける紐付け手段と、
前記紐付け手段による紐付けの結果、紐付けされた識別子が複数のグループに分かれた場合、前記複数の携帯端末で構成されるグループの分裂を知らせる通知を、予め定められた通知先へ送る通知手段と
を有し、
複数に分かれた識別子のグループのうち、含まれる識別子の数が少ないグループに含まれる識別子を有する携帯端末へ前記通知を送る
監視装置。
【発明の詳細な説明】
【技術分野】
【０００１】
本発明は、携帯端末の利用者の行動を報知する技術に関する。
【背景技術】
【０００２】
特許文献１には、複数の児童のそれぞれが携帯する携帯端末において、他の携帯端末からのＩＤを受信した場合には集団行動モードと判断し、他の携帯端末からのＩＤを受信しなかった場合には単独行動モードと判定し、単独行動モードへ切り替わった場合、保護者の端末装置へ単独行動モードに切り替わったことを報知するシステムが開示されている。
【先行技術文献】
【特許文献】
【０００３】
【特許文献１】特開２０１０−１６５２４１号公報
【発明の概要】
【発明が解決しようとする課題】
【０００４】
特許文献１のシステムによれば、集団行動のグループから一人が離れると、グループから人が離れたことを報知することができる。しかしながら、グループから人が離れる場合、例えば、一人だけではなく、複数人がまとまってグループから離れる場合も生じ得る。特許文献１のシステムでは、グループから複数人がまとまって離れた場合、離れた複数人の間では他の携帯端末からのＩＤの受信が可能であり、単独行動モードにはならない。このため、集団行動のグループから離れたことを報知することができず、グループがばらばらになってしまう虞がある。
【０００５】
本発明は、上述した背景の下になされたものであり、グループの分裂を報知する技術を提供することを目的とする。
【課題を解決するための手段】
【０００６】
本発明は、他の携帯端末から送られる当該携帯端末の識別子を取得する取得手段と、自装置の識別子と、前記取得手段が取得した識別子のリストを送信する送信手段とを有する複数の携帯端末と、前記送信手段が送信した前記識別子と前記リストを受信する受信手段と、前記受信手段が受信した識別子と、前記受信手段が受信した前記リストに含まれている識別子とを紐付ける紐付け手段と、前記紐付け手段による紐付けの結果、紐付けされた識別子が複数のグループに分かれた場合、前記複数の携帯端末で構成されるグループの分裂を知らせる通知を、予め定められた通知先へ送る通知手段とを有する監視装置とを備え、前記通知手段は、前記紐付け手段による紐付けの結果、紐付けされた識別子が複数のグループに分かれ、当該複数のグループの各々が予め定められた識別子を含む場合、グループの分裂を知らせる通知を送らないグループ監視システムを提供する。
【０００９】
また、本発明においては、他の携帯端末から送られる当該携帯端末の識別子を取得する取得手段と、自装置の識別子と、前記取得手段が取得した識別子のリストを送信する送信手段とを有する複数の携帯端末と、前記送信手段が送信した前記識別子と前記リストを受信する受信手段と、前記受信手段が受信した識別子と、前記受信手段が受信した前記リストに含まれている識別子とを紐付ける紐付け手段と、前記紐付け手段による紐付けの結果、紐付けされた識別子が複数のグループに分かれた場合、前記複数の携帯端末で構成されるグループの分裂を知らせる通知を、予め定められた通知先へ送る通知手段とを有する監視装置とを備え、前記取得手段は、予め定められた周期で前記識別子を所定期間取得し、前記送信手段は、前記所定期間が終了する毎に、当該所定期間に取得した前記識別子のリストと、自装置の識別子を送信し、前記紐付け手段は、予め定められた周期で前記紐付けを行い、前記監視装置は、前記紐付け手段による紐付けの結果を履歴として記憶する記憶手段と、紐付け先が予め定められた変化をした識別子を前記記憶手段に記憶された履歴から特定する特定手段とを有し、前記特定手段は、単位時間あたりの紐付け先の変化の回数が予め定められた閾値以上である識別子を特定し、特定した識別子の携帯端末のユーザーに係る情報を前記通知手段で送るグループ監視システムを提供する。
【００１１】
また、本発明においては、他の携帯端末から送られる当該携帯端末の識別子を取得する取得手段と、自装置の識別子と、前記取得手段が取得した識別子のリストを送信する送信手段とを有する複数の携帯端末と、前記送信手段が送信した前記識別子と前記リストを受信する受信手段と、前記受信手段が受信した識別子と、前記受信手段が受信した前記リストに含まれている識別子とを紐付ける紐付け手段と、前記紐付け手段による紐付けの結果、紐付けされた識別子が複数のグループに分かれた場合、前記複数の携帯端末で構成されるグループの分裂を知らせる通知を、予め定められた通知先へ送る通知手段とを有する監視装置とを備え、複数に分かれた識別子のグループのうち、含まれる識別子の数が多いグループに含まれる識別子を有する携帯端末へ前記通知を送るグループ監視システムを提供する。
【００１２】
また、本発明においては、他の携帯端末から送られる当該携帯端末の識別子を取得する取得手段と、自装置の識別子と、前記取得手段が取得した識別子のリストを送信する送信手段とを有する複数の携帯端末と、前記送信手段が送信した前記識別子と前記リストを受信する受信手段と、前記受信手段が受信した識別子と、前記受信手段が受信した前記リストに含まれている識別子とを紐付ける紐付け手段と、前記紐付け手段による紐付けの結果、紐付けされた識別子が複数のグループに分かれた場合、前記複数の携帯端末で構成されるグループの分裂を知らせる通知を、予め定められた通知先へ送る通知手段とを有する監視装置とを備え、複数に分かれた識別子のグループのうち、含まれる識別子の数が少ないグループに含まれる識別子を有する携帯端末へ前記通知を送るグループ監視システムを提供する。
【００１３】
また、本発明は、他の携帯端末から送られる当該携帯端末の識別子を取得し、自装置の識別子と、取得した前記識別子のリストを送信する複数の携帯端末から、前記識別子と前記リストを受信する受信手段と、前記受信手段が受信した識別子と、前記受信手段が受信したリストに含まれている識別子とを紐付ける紐付け手段と、前記紐付け手段による紐付けの結果、紐付けされた識別子が複数のグループに分かれた場合、前記複数の携帯端末で構成されるグループの分裂を知らせる通知を、予め定められた通知先へ送る通知手段とを有し、前記通知手段は、前記紐付け手段による紐付けの結果、紐付けされた識別子が複数のグループに分かれ、当該複数のグループの各々が予め定められた識別子を含む場合、グループの分裂を知らせる通知を送らない監視装置を提供する。
また、本発明は、他の携帯端末から送られる当該携帯端末の識別子を予め定められた周期で所定期間取得し、前記所定期間が終了する毎に、自装置の識別子と、当該所定期間に取得した前記識別子のリストを送信する複数の携帯端末から、前記識別子と前記リストを受信する受信手段と、前記受信手段が受信した識別子と、前記受信手段が受信したリストに含まれている識別子とを予め定められた周期で紐付ける紐付け手段と、前記紐付け手段による紐付けの結果、紐付けされた識別子が複数のグループに分かれた場合、前記複数の携帯端末で構成されるグループの分裂を知らせる通知を、予め定められた通知先へ送る通知手段と、前記紐付け手段による紐付けの結果を履歴として記憶する記憶手段と、紐付け先が予め定められた変化をした識別子を前記記憶手段に記憶された履歴から特定する特定手段とを有し、前記特定手段は、単位時間あたりの紐付け先の変化の回数が予め定められた閾値以上である識別子を特定し、特定した識別子の携帯端末のユーザーに係る情報を前記通知手段で送る監視装置を提供する。
また、本発明は、他の携帯端末から送られる当該携帯端末の識別子を取得し、自装置の識別子と、取得した前記識別子のリストを送信する複数の携帯端末から、前記識別子と前記リストを受信する受信手段と、前記受信手段が受信した識別子と、前記受信手段が受信したリストに含まれている識別子とを紐付ける紐付け手段と、前記紐付け手段による紐付けの結果、紐付けされた識別子が複数のグループに分かれた場合、前記複数の携帯端末で構成されるグループの分裂を知らせる通知を、予め定められた通知先へ送る通知手段とを有し、複数に分かれた識別子のグループのうち、含まれる識別子の数が多いグループに含まれる識別子を有する携帯端末へ前記通知を送る監視装置を提供する。
また、本発明は、他の携帯端末から送られる当該携帯端末の識別子を取得し、自装置の識別子と、取得した前記識別子のリストを送信する複数の携帯端末から、前記識別子と前記リストを受信する受信手段と、前記受信手段が受信した識別子と、前記受信手段が受信したリストに含まれている識別子とを紐付ける紐付け手段と、前記紐付け手段による紐付けの結果、紐付けされた識別子が複数のグループに分かれた場合、前記複数の携帯端末で構成されるグループの分裂を知らせる通知を、予め定められた通知先へ送る通知手段とを有し、複数に分かれた識別子のグループのうち、含まれる識別子の数が少ないグループに含まれる識別子を有する携帯端末へ前記通知を送る監視装置を提供する。
【発明の効果】
【００１４】
本発明によれば、グループの分裂を報知することができる。
【図面の簡単な説明】
【００１５】
【図１】本発明の一実施形態に係るグループ監視システム１に含まれる装置を示した図。
【図２】携帯端末１０のハードウェア構成を示したブロック図。
【図３】携帯端末１０の機能ブロック図。
【図４】監視装置３０のハードウェア構成を示したブロック図。
【図５】第１テーブルＴＢ１の一例を示した図。
【図６】第２テーブルＴＢ２の一例を示した図。
【図７】監視装置３０の機能ブロック図。
【図８】制御部１０１が行う処理の流れを示したフローチャート。
【図９】制御部３０１が行う処理の流れを示したフローチャート。
【図１０】制御部３０１が行う処理の流れを示したフローチャート。
【図１１】ＢＤアドレスの紐付け処理を説明するための図。
【図１２】ＢＤアドレスの紐付け処理を説明するための図。
【図１３】ＢＤアドレスの紐付け処理を説明するための図。
【図１４】ＢＤアドレスの紐付け処理を説明するための図。
【図１５】ＢＤアドレスの紐付け処理を説明するための図。
【図１６】ＢＤアドレスの紐付け処理を説明するための図。
【図１７】制御部１０１が行う処理の流れを示したフローチャート。
【図１８】実施形態の動作例を説明するための図。
【図１９】第２テーブルＴＢ２の一例を示した図。
【図２０】ＢＤアドレスの紐付け処理を説明するための図。
【図２１】ＢＤアドレスの紐付け処理を説明するための図。
【図２２】ＢＤアドレスの紐付け処理を説明するための図。
【図２３】ＢＤアドレスの紐付け処理を説明するための図。
【図２４】変形例に係る第１テーブルＴＢ１の一例を示した図。
【図２５】ＢＤアドレスの紐付けの一例を示した図。
【発明を実施するための形態】
【００１６】
［実施形態］
図１は、本発明の一実施形態に係るグループ監視システム１に含まれる装置を示した図である。通信網２は、インターネットや固定電話網、音声通信やデータ通信などの通信サービスを提供する移動体通信網などを含む。通信網２には、携帯端末１０ａ〜１０ｊが無線通信によって接続される。また、通信網２には、有線で監視装置３０が接続される。
【００１７】
本実施形態に係る携帯端末１０ａ〜１０ｊは、腕時計型の携帯端末である。携帯端末１０ａ〜１０ｊは、集団行動を行うグループの各メンバーが携帯する。携帯端末１０ａ〜１０ｊは、腕時計型に限定されるものではなく、データ通信が可能で携帯できる装置であればよい。携帯端末１０ａ〜１０ｊは、通信網２を構成する無線基地局と通信を行い、データ通信を行う。なお、携帯端末１０ａ〜１０ｊは、同じ構成であるため、以下、各々を区別する必要がない場合は、携帯端末１０と称する。通信網２に接続される携帯端末１０の数は、図１に示した数に限定されるものではなく、図１に示した数以上の装置を接続することもできる。携帯端末１０は、近距離無線通信（例えば、ＢＬＥ（Bluetooth Low Energy））の機能を備えている。携帯端末１０は、他の携帯端末１０の情報を近距離無線通信で取得し、取得した情報を監視装置３０へ送信する。
【００１８】
管理者端末２０は、本実施形態においてはスマートフォンであり、携帯端末１０ａ〜１０ｊのユーザーで構成されるグループの管理者が携帯する。管理者端末２０は、スマートフォンに限定されるものではなく、データ通信が可能なタブレット端末やフィーチャーフォン、データ通信に特化したコンピュータ装置などであってもよい。管理者端末２０は、通信網２を構成する無線基地局と通信を行い、音声通信やデータ通信を行う。
【００１９】
監視装置３０は、グループの分裂を管理者へ通知する機能を備えた装置である。監視装置３０は、携帯端末１０と通信を行い、携帯端末１０毎に、携帯端末１０から送られる情報を取得して記憶する。監視装置３０は、携帯端末１０ａ〜１０ｊのユーザーで構成されるグループの分裂を各携帯端末１０から取得した情報を用いて判断し、グループが分裂したことを電子メールで管理者端末２０へ通知する。
【００２０】
（携帯端末１０の構成）
図２は、携帯端末１０のハードウェア構成の一例を示した図である。なお、携帯端末１０ａ〜１０ｊのハードウェア構成は同じであるが、以下、携帯端末１０ａ〜１０ｊの各部を区別する必要がある場合、説明の便宜上、携帯端末１０の符号の末尾のアルファベットを各部の符号の末尾に付加して説明を行い、各部を区別する必要がない場合、符号の末尾へのアルファベットの付加を省略して説明を行う。例えば、携帯端末１０ａの各部を他の携帯端末１０ｂ〜１０ｊの各部と区別する場合、携帯端末１０ａの各部の符号の末尾には「ａ」を付ける。
【００２１】
通信部１０５は、通信網２の無線基地局に対して無線通信を行う通信インターフェースとして機能する。操作部１０４は、携帯端末１０を操作するための各種ボタンを備えている。タッチパネル１０３は、液晶ディスプレイなどの表示装置と、表示装置の表示面において指の接触を検出するセンサーとを組み合わせた装置であり、ユーザーにより操作される操作部の一例である。タッチパネル１０３は、文字やＧＵＩ（Graphical User Interface）、携帯端末１０を操作するためのメニュー画面などを表示する。近距離通信部１０９は、Bluetooth（登録商標）の通信を行う通信インターフェースとして機能する。近距離通信部１０９は、Bluetoothの通信を行うデバイスを一意的に識別するＢＤ（Bluetooth Device）アドレスを記憶している。
【００２２】
記憶部１０２は、不揮発性メモリーを有しており、オペレーティングシステムのプログラムやアプリケーションプログラムを記憶する。本実施形態においては、記憶部１０２は、他の携帯端末１０や監視装置３０と通信を行う機能を備えたアプリケーションプログラムを記憶している。また、記憶部１０２は、他の携帯端末１０からＢＬＥの通信で取得したＢＤアドレスを記憶する。なお、ＢＤアドレスは、４８ビットで表されるが、説明の便宜上、携帯端末１０ａ〜１０ｊのそれぞれのＢＤアドレスを、「Address_」という文字列と、携帯端末１０ａ〜１０ｊの符号の末尾との組み合わせに置き換えて表記する。例えば、以下においては、携帯端末１０ａのＢＤアドレスは「Address_a」と表記し、携帯端末１０ｂのＢＤアドレスは「Address_ｂ」と表記する。
【００２３】
制御部１０１は、ＣＰＵ（Central Processing Unit）やＲＡＭ（Random Access Memory）を有している。制御部１０１が記憶部１０２に記憶されているオペレーティングシステムのプログラムを実行するとオペレーティングシステムが実現し、アプリケーションプログラムを実行することが可能となる。プログラムを実行した制御部１０１は、タッチパネル１０３で行われた操作や、操作部１０４で行われた操作に応じて各部の制御や各種処理を実行する。
【００２４】
図３は、携帯端末１０において実現する機能のうち、本発明に係る機能の構成を示した機能ブロック図である。取得部１００１は、他の携帯端末１０が送信するＢＤアドレスを、近距離通信部１０９を制御して取得する。取得部１００１は、他の携帯端末１０のＢＤアドレスを取得する取得手段の一例である。送信部１００２は、近距離通信部１０９が有するＢＤアドレスと、取得部１００１が取得したＢＤアドレスのリストを、通信部１０５を制御して監視装置３０へ送信する。送信部１００２は、自装置の識別子の一例であるＢＤアドレスと、識別子であるＢＤアドレスのリストを送信する送信手段の一例である。
【００２５】
（監視装置３０の構成）
図４は、監視装置３０のハードウェア構成を示した図である。通信部３０５は、通信網２を介してデータ通信を行う通信インターフェースとして機能する。記憶部３０２は、ハードディスク装置を有しており、オペレーティングシステムのプログラムや、アプリケーションプログラムなどを記憶している。本実施形態においては、記憶部３０２は、携帯端末１０ａ〜１０ｊから送られる情報に基づいて、携帯端末１０ａ〜１０ｊのユーザーで構成されるグループの分裂を管理者端末２０のユーザーへ通知する機能を備えたアプリケーションプログラムを記憶している。
【００２６】
また、記憶部３０２は、第１テーブルＴＢ１と、第２テーブルＴＢ２を記憶する。第１テーブルＴＢ１は、携帯端末１０ａ〜１０ｊを携帯するユーザーで構成されるグループのグループ名、当該グループの管理者の電子メールアドレス、当該グループを構成するユーザーが携帯する携帯端末１０のＢＤアドレスを格納する。図５は、第１テーブルＴＢ１の一例を示した図である。第１テーブルＴＢ１においては、携帯端末１０ａ〜１０ｊのユーザーで構成されたグループに付与されたグループ名と、当該グループに属する携帯端末１０のＢＤアドレスが格納される。例えば、携帯端末１０ａ〜１０ｊのユーザーで構成されるグループのグループ名が「group_A」である場合、図５に示したように、グループ名の「group_A」に対応付けて、当該グループの管理者の電子メールアドレスと、携帯端末１０ａ〜１０ｊのＢＤアドレスが第１テーブルＴＢ１に格納される。
【００２７】
第２テーブルＴＢ２は、ＢＤアドレスのリストを送信した携帯端末１０のＢＤアドレスに対応付けて、送信されたリストに含まれているＢＤアドレスを格納する。図６は、第２テーブルＴＢ２の一例を示した図である。例えば、携帯端末１０ａは、ＢＬＥの通信により携帯端末１０ｂ、携帯端末１０ｃ及び携帯端末１０ｇからそれぞれのＢＤアドレスを取得すると、携帯端末１０ｂ、携帯端末１０ｃ及び携帯端末１０ｇのＢＤアドレスを含むリストと、携帯端末１０ａのＢＤアドレスとの組を監視装置３０へ送信する。監視装置３０は、携帯端末１０ａのＢＤアドレスと、ＢＤアドレスのリストの組を受信した場合、図６に示したように、リストを送信した携帯端末１０ａのＢＤアドレス（Address_a）をリスト送信元のフィールド格納しているレコードを特定し、受信したリストに含まれている携帯端末１０ｂ、携帯端末１０ｃ及び携帯端末１０ｇのＢＤアドレス（Address_b、Address_c、Address_g）を、特定したレコードのＢＤアドレスのフィールドに格納する。
【００２８】
制御部３０１は、ＣＰＵ、ブートローダを記憶したＲＯＭ及びＲＡＭを有している。ＣＰＵが記憶部３０２に記憶されているオペレーティングシステムのプログラムを実行すると、アプリケーションプログラムを実行することが可能となり、ＣＰＵは、アプリケーションプログラムを実行する。
【００２９】
図７は、監視装置３０において実現する機能のうち、本発明に係る機能の構成を示した機能ブロック図である。受信部３００１は、携帯端末１０の送信部１００２が送信するＢＤアドレスとリストの組を受信する。受信部３００１は、携帯端末１０の識別子と、携帯端末１０が受信した識別子のリストを受信する受信手段の一例である。紐付け部３００２は、受信部３００１が受信したＢＤアドレスと、リストに含まれているＢＤアドレスとを紐付ける紐付け手段の一例である。通知部３００３は、紐付け部３００２による紐付けの結果、ＢＤアドレスが複数のグループに分かれ、複数のグループの各々が複数のＢＤアドレスを含む場合、複数の携帯端末１０で構成されるグループの分裂を知らせる通知を、予め定められた通知先へ送る通知手段の一例である。
【００３０】
（実施形態の動作例）
次に本実施形態の動作例について説明する。なお、動作例の説明においては、管理者端末２０のユーザーは、教師であり、当該教師が担任であるクラスに属する児童が携帯端末１０ａ〜１０ｊを携帯し、携帯端末１０ａ〜１０ｊを携帯する児童が「group_A」のグループに属する場合を想定して動作例の説明を行う。
【００３１】
図８は、携帯端末１０が電源をオンにされたときに行う処理の流れを示したフローチャートである。携帯端末１０は、操作部１０４に対するユーザーの操作により電源をオンにされると、図８に示した処理を実行する。具体的には、まず制御部１０１は、近距離通信部１０９を制御し、他の携帯端末１０が送信するアドバタイジングパケットを予め定められた期間において受信する。即ち、ここで携帯端末１０は、ＢＬＥの通信におけるｓｃａｎｎｅｒとなる。制御部１０１は、アドバタイジングパケットを受信すると、ＢＤアドレスを要求するリクエストを、通信部１０５を制御して送信し、送信したリクエストに応じて送信されるＢＤアドレスを取得する（ステップＳＡ１）。なお、ここで携帯端末１０は、ｓｃａｎｎｅｒとａｄｖｅｒｔｉｓｅｒの両方の状態をとる構成でもよく、ｓｃａｎｎｅｒとなっている期間以外は、ａｄｖｅｒｔｉｓｅｒとなる構成であってもよい。
【００３２】
制御部１０１は、ステップＳＡ１において予め定められた期間が経過すると、当該期間において取得したＢＤアドレスのリストを生成し、生成したリストを記憶部１０２に記憶させる（ステップＳＡ２）。制御部１０１は、ＢＤアドレスのリストの生成を終了すると、自装置の近距離通信部１０９のＢＤアドレスと、生成したリストの組を、通信部１０５を制御して監視装置３０へ送信する（ステップＳＡ３）。
【００３３】
例えば、携帯端末１０ａのＢＬＥの通信範囲内に携帯端末１０ｂ、携帯端末１０ｃ、携帯端末１０ｇが位置していると、近距離通信部１０９ａは、電源がオンにされた後、ステップＳＡ１において携帯端末１０ｂ、携帯端末１０ｃ、携帯端末１０ｇからのアドバタイジングパケットを受信し、制御部１０１ａは、受信したアドバタイジングパケットを送信した携帯端末１０ｂ、携帯端末１０ｃ、携帯端末１０ｇからＢＤアドレスを取得する。そして制御部１０１ａは、携帯端末１０ｂ、携帯端末１０ｃ及び携帯端末１０ｇのＢＤアドレスを含むリストを生成し、近距離通信部１０９ａのＢＤアドレスと、生成したリストの組を監視装置３０へ送信する。また、携帯端末１０ｉのＢＬＥの通信範囲内に携帯端末１０ｅが位置していると、近距離通信部１０９ｉは、電源がオンにされた後、ステップＳＡ１において携帯端末１０ｅからのアドバタイジングパケットを受信し、制御部１０１ｉは、受信したアドバタイジングパケットを送信した携帯端末１０ｅからＢＤアドレスを取得する。そして制御部１０１ｉは、携帯端末１０ｅのＢＤアドレスを含むリストを生成し、近距離通信部１０９ｉのＢＤアドレスと、生成したリストの組を監視装置３０へ送信する。
【００３４】
携帯端末１０から送信されたＢＤアドレスとリストの組を通信部３０５が受信すると、制御部３０１は、図９に示したフローチャートの処理を実行する。制御部３０１は、ＢＤアドレスとリストの組を通信部３０５が受信すると、リストと共に受信したＢＤアドレスをリスト送信元フィールドに格納しているレコードを第２テーブルＴＢ２において特定し、特定したレコードのＢＤアドレスのフィールドを、受信したリストに含まれているＢＤアドレスで更新する（ステップＳＢ１）。
【００３５】
また、制御部３０１は、予め定められた周期で図１０に示したフローチャートの処理を実行する。まず制御部３０１は、第１テーブルＴＢ１に格納されているＢＤアドレスを有する携帯端末１０のから、ＢＤアドレスのリストを受信済みであるか判断する（ステップＳＣ１）。第１テーブルＴＢ１においては「Address_a」〜「Address_j」が格納されているため、制御部３０１は、携帯端末１０ａ〜携帯端末１０ｊから、ＢＤアドレスのリストを受信済みであるか判断する。当該判断については、例えば、ＢＤアドレスのリストと共に受信したＢＤアドレスを履歴として記憶し、当該履歴に「Address_a」〜「Address_j」があれば、携帯端末１０ａ〜携帯端末１０ｊから、ＢＤアドレスのリストを受信済みであると判断する。
【００３６】
制御部３０１は、ステップＳＣ１でＹＥＳと判断した場合、前回図１０の処理を行ってから再び図１０の処理を開始するまでの間に、第２テーブルＴＢ２が更新されていたか判断する（ステップＳＣ２）。制御部３０１は、ステップＳＣ２でＹＥＳと判断した場合、第２テーブルＴＢ２に基づいて、携帯端末１０ａ〜１０ｊのＢＤアドレスを紐付ける（ステップＳＣ３）。
【００３７】
ここで、紐付けの具体例について説明する。例えば、制御部３０１は、第２テーブルＴＢ２が図６に示した内容である場合、まず、リスト送信元フィールドに「Address_a」が格納されているレコードにおいては、ＢＤアドレスフィールドに「Address_b」、「Address_c」及び「Address_g」が格納されているため、制御部３０１は、図１１に示したように、「Address_a」に対して「Address_b」、「Address_c」及び「Address_g」を紐付ける。次にリスト送信元フィールドに「Address_b」が格納されているレコードにおいては、ＢＤアドレスフィールドに「Address_a」が格納されている。ここで、既に「Address_b」に対しては「Address_a」が紐付けられているため、制御部３０１は、「Address_a」と「Address_ｂ」の紐付けをそのままとする。
【００３８】
次にリスト送信元フィールドに「Address_c」が格納されているレコードにおいては、ＢＤアドレスフィールドに「Address_a」、「Address_d」及び「Address_g」が格納されている。ここで制御部３０１は、紐付けされていない「Address_c」と「Address_d」を紐付けし、「Address_c」と「Address_g」を紐付ける。この結果、ＢＤアドレスの紐付けは、図１２に示した状態となる。また、リスト送信元フィールドに「Address_d」が格納されているレコードにおいてはＢＤアドレスフィールドに「Address_c」、「Address_e」及び「Address_h」が格納されている。ここで制御部３０１は、紐付けされていない「Address_d」と「Address_e」を紐付けし、「Address_d」と「Address_h」を紐付ける。この結果、ＢＤアドレスの紐付けは、図１３に示した状態となる。
【００３９】
次にリスト送信元フィールドに「Address_e」が格納されているレコードにおいては、ＢＤアドレスフィールドに「Address_d」及び「Address_i」が格納されている。ここで制御部３０１は、紐付けされていない「Address_e」と「Address_i」を紐付ける。この結果、ＢＤアドレスの紐付けは、図１４に示した状態となる。また、リスト送信元フィールドに「Address_f」が格納されているレコードにおいては、ＢＤアドレスフィールドに「Address_g」が格納されている。ここで制御部３０１は、紐付けされていない「Address_f」と「Address_g」を紐付ける。この結果、ＢＤアドレスの紐付けは、図１５に示した状態となる。
【００４０】
次にリスト送信元フィールドに「Address_g」が格納されているレコードにおいては、ＢＤアドレスフィールドに「Address_a」、「Address_c」及び「Address_f」が格納されている。ここで、「Address_g」に対しては既に「Address_a」、「Address_c」及び「Address_f」が紐付けられているため、制御部３０１は、紐付けをそのままとする。また、リスト送信元フィールドに「Address_h」が格納されているレコードにおいてはＢＤアドレスフィールドに「Address_d」及び「Address_j」が格納されている。ここで制御部３０１は、紐付けされていない「Address_hと「Address_j」を紐付ける。この結果、ＢＤアドレスの紐付けは、図１６に示した状態となる。
【００４１】
次にリスト送信元フィールドに「Address_i」が格納されているレコードにおいては、ＢＤアドレスフィールドに「Address_e」が格納されている。ここで、「Address_i」に対しては既に「Address_e」が紐付けられているため、制御部３０１は、紐付けをそのままｍとする。また、リスト送信元フィールドに「Address_j」が格納されているレコードにおいては、ＢＤアドレスフィールドに「Address_h」が格納されているが、既に「Address_j」に対しては「Address_h」が紐付けられているため、制御部３０１は、紐付けをそのままとする。
【００４２】
制御部３０１は、ＢＤアドレスの紐付けが終了すると、グループが分裂しているか判断する（ステップＳＣ４）。具体的には、制御部３０１は、ステップＳＣ３で紐付けられたＢＤアドレスが複数のグループに分かれているか判断する。図１６に示したように、紐付けされたＢＤアドレスが切れ目なく繋がり、一つのグループを形成している場合、グループが分裂していないと判断する（ステップＳＣ４でＮＯ）。制御部３０１は、ステップＳＣ４でＮＯと判断すると、図１０の処理を終了する。
【００４３】
次に電源をオンにされた後の携帯端末１０の動作について説明する。携帯端末１０は、電源をオンにされた後、予め定められた周期で図１７の処理を実行する。具体的には、まず制御部１０１は、近距離通信部１０９を制御し、他の携帯端末１０が送信するアドバタイジングパケットを予め定められた期間において受信する。制御部１０１は、当該期間内においてアドバタイジングパケットを受信すると、ステップＳＡ１と同様に、受信したアドバタイジングパケットを送信した携帯端末１０からＢＤアドレスを取得する（ステップＳＤ１）。即ち、ここで携帯端末１０は、ＢＬＥの通信におけるＳｃａｎｎｅｒとなる。なお、ステップＳＤ１が終了すると、携帯端末１０は、ＢＬＥの通信におけるａｄｖｅｒｔｉｓｅｒとなってもよく、ｓｃａｎｎｅｒとａｄｖｅｒｔｉｓｅｒの両方の状態をとる構成でもよい。
【００４４】
制御部１０１は、ステップＳＤ１において予め定められた期間が経過すると、当該期間において取得したＢＤアドレスのリストを生成する（ステップＳＤ２）。次に制御部１０１は、生成したＢＤアドレスのリストと、記憶部１０２に記憶されているＢＤアドレスのリストを比較し、リストに含まれるＢＤアドレスに差があるか判断する（ステップＳＤ３）。制御部１０１は、ステップＳＤ２で生成したリストと、記憶部１０２に記憶されているリストに差がない場合、ステップＳＤ４及びステップＳＤ５の処理を行わず、図１７の処理を終了する。
【００４５】
一方、制御部１０１は、ステップＳＤ２で生成したリストと、記憶部１０２に記憶されているリストに差がある場合（ステップＳＤ３でＹＥＳ）、即ち、携帯端末１０の位置が変わり、アドバタイジングパケットが自装置に届いていた携帯端末１０からのアドバタイジングパケットが自装置に届かなくなった場合、又はアドバタイジングパケットが自装置に届いていなかった携帯端末１０からのアドバタイジングパケットが自装置に届いた場合、記憶部１０２に記憶されているＢＤアドレスのリストを、ステップＳＤ２で生成したリストで上書きする（ステップＳＤ４）。制御部１０１は、ＢＤアドレスのリストの上書きが終了すると、生成したリストを、通信部１０５を制御して監視装置３０へ送信する（ステップＳＤ５）。
【００４６】
ここで、携帯端末１０の位置が図１８に示した状態に変わった場合、即ち、携帯端末１０ｅを携帯する児童と携帯端末１０ｉを携帯する児童の二人が、他の携帯端末１０を携帯する児童の集団からから離れた場合を想定する。この場合、携帯端末１０ｅ及び携帯端末１０ｉは、他の携帯端末１０との距離が離れ、携帯端末１０ｅからのアドバタイジングパケットを受信していた携帯端末１０ｄは、携帯端末１０ｅからのアドバタイジングパケットを受信できなくなり、携帯端末１０ｄからのアドバタイジングパケットを受信していた携帯端末１０ｅは、携帯端末１０ｄからのアドバタイジングパケットを受信できなくなる。
【００４７】
この結果、制御部１０１ｄは、ステップＳＤ２において、携帯端末１０ｅのＢＤアドレスを含まず、携帯端末１０ｃのＢＤアドレスと携帯端末１０ｈのＢＤアドレスを含むリストを生成する。記憶部１０２ｄに記憶されているＢＤアドレスのリストには、携帯端末１０ｃ、携帯端末１０ｅ及び携帯端末１０ｈのＢＤアドレスが含まれており、生成したリストと記憶されているリストに差があるため、制御部１０１ｄは、ステップＳＤ３でＹＥＳと判断し、記憶部１０２に記憶されているＢＤアドレスのリストを、ステップＳＤ２で生成したリストで上書きし（ステップＳＤ４）、生成したリストを、通信部１０５を制御して監視装置３０へ送信する（ステップＳＤ５）。
【００４８】
また、制御部１０１ｅは、ステップＳＤ２において、携帯端末１０ｄのＢＤアドレスを含まず、携帯端末１０ｉのＢＤアドレスのみを含むリストを生成する。記憶部１０２ｅに記憶されているＢＤアドレスのリストには、携帯端末１０ｄ及び携帯端末１０ｉのＢＤアドレスが含まれており、生成したリストと記憶されているリストに差があるため、制御部１０１ｅは、ステップＳＤ３でＹＥＳと判断し、記憶部１０２に記憶されているＢＤアドレスのリストを、ステップＳＤ２で生成したリストで上書きし（ステップＳＤ４）、生成したリストを、通信部１０５を制御して監視装置３０へ送信する（ステップＳＤ５）。
【００４９】
制御部３０１は、携帯端末１０ｄから送られたＢＤアドレスのリストと、携帯端末１０ｅから送られたＢＤアドレスのリストにより第２テーブルＴＢ２を更新する（ステップＳＢ１）。これにより、第２テーブルＴＢ２は、図１９に示した状態となる。この後、制御部３０１は、予め定められたタイミングとなると、図１０の処理を実行する。ここでは、前回図１０の処理を行ってから再び図１０の処理を開始するまでの間に、上述したように第２テーブルＴＢ２が更新されているため、ステップＳＣ２でＹＥＳと判断する。制御部３０１は、ステップＳＣ２でＹＥＳと判断した場合、第２テーブルＴＢ２に基づいて、携帯端末１０ａ〜１０ｊのＢＤアドレスを紐付ける（ステップＳＣ３）。
【００５０】
制御部３０１は、第２テーブルＴＢ２が図１９に示した内容である場合、リスト送信元フィールドに「Address_a」が格納されているレコードにおいては、ＢＤアドレスフィールドに「Address_b」、「Address_c」及び「Address_g」が格納されているため、制御部３０１は、図１１に示したように、「Address_a」に対して「Address_b」、「Address_c」及び「Address_g」を紐付ける。次にリスト送信元フィールドに「Address_b」が格納されているレコードにおいては、ＢＤアドレスフィールドに「Address_a」が格納されている。ここで、既に「Address_b」に対しては「Address_a」が紐付けられているため、制御部３０１は、「Address_a」と「Address_ｂ」の紐付けをそのままとする。
【００５１】
次にリスト送信元フィールドに「Address_c」が格納されているレコードにおいては、ＢＤアドレスフィールドに「Address_a」、「Address_d」及び「Address_g」が格納されている。ここで制御部３０１は、紐付けされていない「Address_c」と「Address_d」を紐付けし、「Address_c」と「Address_g」を紐付ける。この結果、ＢＤアドレスの紐付けは、図１２に示した状態となる。また、リスト送信元フィールドに「Address_d」が格納されているレコードにおいては、ＢＤアドレスフィールドに「Address_c」及び「Address_h」が格納されている。ここで制御部３０１は、紐付けされていない「Address_d」と「Address_h」を紐付ける。この結果、ＢＤアドレスの紐付けは、図２０に示した状態となる。
【００５２】
次にリスト送信元フィールドに「Address_e」が格納されているレコードにおいては、ＢＤアドレスフィールドに「Address_i」が格納されている。ここで制御部３０１は、紐付けされていない「Address_e」と「Address_i」を紐付ける。この結果、ＢＤアドレスの紐付けは、図２１に示した状態となる。また、リスト送信元フィールドに「Address_f」が格納されているレコードにおいては、ＢＤアドレスフィールドに「Address_g」が格納されている。ここで制御部３０１は、紐付けされていない「Address_f」と「Address_g」を紐付ける。この結果、ＢＤアドレスの紐付けは、図２２に示した状態となる。
【００５３】
次にリスト送信元フィールドに「Address_g」が格納されているレコードにおいては、ＢＤアドレスフィールドに「Address_a」、「Address_c」及び「Address_f」が格納されている。ここで、「Address_g」に対しては既に「Address_a」、「Address_c」及び「Address_f」が紐付けられているため、制御部３０１は、紐付けをそのままとする。また、リスト送信元フィールドに「Address_h」が格納されているレコードにおいてはＢＤアドレスフィールドに「Address_d」及び「Address_j」が格納されている。ここで制御部３０１は、紐付けされていない「Address_h」と「Address_j」を紐付ける。この結果、ＢＤアドレスの紐付けは、図２３に示した状態となる。
【００５４】
次にリスト送信元フィールドに「Address_i」が格納されているレコードにおいては、ＢＤアドレスフィールドに「Address_e」が格納されている。ここで、既に「Address_i」に対しては「Address_e」が紐付けられているため、制御部３０１は、紐付けをそのままとする。また、リスト送信元フィールドに「Address_j」が格納されているレコードにおいては、ＢＤアドレスフィールドに「Address_h」が格納されている。ここで、既に「Address_j」に対しては「Address_h」が紐付けられているため、制御部３０１は、紐付けをそのままとする。
【００５５】
制御部３０１は、ＢＤアドレスの紐付けが終了すると、グループが分裂しているか判断する（ステップＳＣ４）。制御部３０１は、図２３に示したように、紐付けされたＢＤアドレスが切れ目なく繋がっておらず、複数のグループを形成している場合、グループが分裂していると判断する（ステップＳＣ４でＹＥＳ）。
【００５６】
制御部３０１は、ステップＳＣ４でＹＥＳと判断すると、グループが分裂したことを報知する電子メールを、分裂したグループの管理者へ送信する（ステップＳＣ５）。具体的には、制御部３０１は、第１テーブルＴＢ１に格納されている電子メールアドレスを取得し、取得した電子メールアドレスを宛先にして、グループが分裂したことを報知する電子メールを送信する。
【００５７】
監視装置３０が送信した電子メールは、通信網２を介して管理者端末２０へ送られる。管理者端末２０は、監視装置３０から送られた電子メールを受信する。管理者端末２０が受信した電子メールを管理者端末２０のユーザーが開くと、ユーザーは、児童のグループが分裂し、複数人がグループから離れたことを知ることができる。
【００５８】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態及び以下の変形例は、各々を組み合わせてもよい。
【００５９】
上述した実施形態においては、携帯端末１０は、ＢＬＥの通信におけるｓｃａｎｎｅｒとａｄｖｅｒｔｉｓｅｒとなり、ｓｃａｎｎｅｒとなった場合は他の携帯端末１０からＢＤアドレスを取得し、ａｄｖｅｒｔｉｓｅｒとなった場合は他の携帯端末１０へＢＤアドレスを送信しているが、ＢＤアドレスの取得とＢＤアドレスの送信を行う構成は、この構成に限定されるものではない。
【００６０】
例えば、携帯端末１０は、ステップＳＡ１やステップＳＤ１においてＢＬＥの通信におけるｉｎｉｔｉａｔｏｒとなり、他の携帯端末１０から送信されるアドバタイジングパケットを受信する。携帯端末１０は、アドバタイジングパケットを受信すると、ａｄｖｅｒｔｉｓｅｒへ接続要求を送信し、アドバタイジングパケットを送信した携帯端末１０と接続を確立する。接続が確立すると、アドバタイジングパケットを送信した携帯端末１０は、自装置のＢＤアドレスを、アドバタイジングパケットを受信した携帯端末１０へ送信する。アドバタイジングパケットを受信した携帯端末１０が、接続先の携帯端末１０から送信されたＢＤアドレスを受信すると、アドバタイジングパケットを受信した携帯端末１０は、確立している接続を切断する。この構成でも、携帯端末１０は、他の携帯端末１０からＢＤアドレスを取得することができる。
【００６１】
上述した実施形態においては、携帯端末１０は、ＢＬＥの通信により他の携帯端末１０からＢＤアドレスを取得しているが、ＢＤアドレス以外の情報も取得するようにしてもよい。例えば、携帯端末１０は、ＵＵＩＤ（Universally Unique Identifier）やａｄｖｅｒｔｉｓｅｒ側の送信電力、受信したアドバタイジングパケットの受信信号強度などを取得してもよい。ＵＵＩＤは、上述したグループ監視システム１に固有の値としてもよい。また、ＵＵＩＤは、グループが複数ある場合、グループ毎にＵＵＩＤを異なる値としてもよい。例えば、グループＡに属する携帯端末１０と、グループＢに属する携帯端末１０とでは、送信するＵＵＩＤを異なる値とする。携帯端末１０は、自身が属するグループに対応するＵＵＩＤを記憶し、Ａｄｖｅｒｔｉｓｅｒとなった場合はＢＤアドレスに加えてＵＵＩＤも送信する。携帯端末１０は、記憶しているＵＵＩＤとは異なるＵＵＩＤを他の携帯端末１０から取得した場合、記憶しているＵＵＩＤとは異なるＵＵＩＤを送信した携帯端末１０から送信されたＢＤアドレスを、ステップＳＡ２やステップＳＤ２で生成するリストに含めないようにする。この構成によれば、グループＡに属する携帯端末１０とグループＢに属する携帯端末が隣接していても、他のグループに属する携帯端末１０のＢＤアドレスをリストに含めないようにすることができる。
【００６２】
また、携帯端末１０は、送信電力と受信信号強度を取得した場合、送信電力と受信信号強度から伝搬損失を得ることができる。携帯端末１０は、ＢＤアドレスを取得したときの伝搬損失が予め定められた閾値以上である場合、当該ＢＤアドレスについては、ステップＳＡ２やステップＳＤ２で生成するリストに含めないようにしてもよい。
【００６３】
本発明においては、監視装置３０は、ステップＳＣ３の処理が終了した後に、紐付けされたＢＤアドレスの数をカウントし、カウントされた数が予め定められた閾値以上となった場合、グループにおいて閾値以上の人数が集まったことを電子メールで管理者に報知するようにしてもよい。また、本発明においては、監視装置３０は、ステップＳＣ３の処理が終了した後に、グループに含まれる携帯端末１０の数に対して、紐付けされたＢＤアドレスの数の割合を算出し、算出した割合が予め定められた閾値以上となった場合、グループにおいて閾値以上の割合の人数が集まったことを電子メールで管理者に報知するようにしてもよい。
【００６４】
また、本発明においては、監視装置３０は、紐付けされたＢＤアドレスの数をカウントし、カウントされた数を履歴として記憶し、履歴として記憶した数が、予め定められた閾値以上から閾値未満に変化した場合、グループが分裂したことを報知する電子メールを送信してもよい。また、本発明においては、監視装置３０は、グループに含まれる携帯端末１０の数に対して、紐付けされたＢＤアドレスの数の割合を算出し、算出した割合を履歴として記憶し、履歴として記憶した割合が、予め定められた閾値以上から閾値未満に変化した場合、グループが分裂したことを報知する電子メールを送信してもよい。また、紐付けされたＢＤアドレスの数をカウントし、カウントされた数が予め定められた閾値未満の場合にのみ、グループが分裂したことを報知する電子メールを送信してもよい。
【００６５】
本発明においては、グループ内にサブグループを設け、サブグループに属する携帯端末１０のＢＤアドレスをサブグループ毎に第１テーブルＴＢ１に登録するようにしてもよい。図２４は、本変形例に係る第１テーブルＴＢ１の一例を示した図である。図に示した例では、「group_A1」のサブグループには、「Address_a」、「Address_b」、「Address_c」、「Address_d」及び「Address_e」のＢＤアドレスが含まれ、「group_A2」のサブグループには、「Address_f」、「Address_g」、「Address_h」、「Address_i」、「Address_j」のＢＤアドレスが含まれている。このようにサブグループを設ける構成においては、グループの分裂を判定する際に、分裂したグループに含まれるＢＤアドレスが、サブグループとして登録されたＢＤアドレスである場合、分裂を報知する電子メールを送信しないようにしてもよい。
【００６６】
例えば、ステップＳＣ３におけるＢＤアドレスの紐付けの結果が図２５の場合を想定する。図２５に示したように、サブグループの「group_A1」に属するＢＤアドレスが切れ目なく繋がり、サブグループの「group_A2」に属するＢＤアドレスが切れ目なく繋がっている場合、監視装置３０は、分裂を報知する電子メールを送信しないようにしてもよい。
また、サブグループにおいて、代表となるＢＤアドレスを定め、グループが分裂したときに分裂後のサブグループにサブグループの代表となるＢＤアドレスが含まれている場合、分裂を報知する電子メールを送信しないようにしてもよい。また、例えば、管理者端末２０のユーザーや児童の保護者など、予め定められた人も携帯端末１０を携帯する構成においては、グループが分裂したときの分裂後のサブグループに、この予め定められた人が携帯する携帯端末のＢＤアドレスが含まれている場合、分裂を報知する電子メールを送信しないようにしてもよい。
また、本変形例においても、上述した変形例のように、紐付けされたＢＤアドレスの数をサブグループ毎にカウントし、カウントされた数が予め定められた閾値以上となった場合、サブグループにおいて閾値以上の人数が集まったことを電子メールで管理者に報知するようにしてもよい。また、本変形例においては、ステップＳＣ３の処理が終了した後に、サブグループに含まれる携帯端末１０の数に対して、紐付けされたＢＤアドレスの数の割合をサブグループ毎に算出し、算出した割合が予め定められた閾値以上となった場合、サブグループにおいて閾値以上の割合の人数が集まったことを電子メールで管理者に報知するようにしてもよい。
【００６７】
本発明においては、監視装置３０は、携帯端末１０から予め定められた周期で送られてくるＢＤアドレスとリストの組を、当該組を受信した日時と対応付けて履歴として記憶する構成としてもよい。この構成においては、監視装置３０は、履歴として記憶したリストを解析し、予め定められた単位時間内において、送信されたリストに含まれているＢＤアドレスが変わる回数が所定の閾値以上の携帯端末１０を特定し、特定した携帯端末１０を有するユーザーの氏名を、電子メールで管理者へ知らせるようにしてもよい。例えば、監視装置３０は、携帯端末１０ａから送られたリストに含まれるＢＤアドレスが、予め定められた単位時間内において、閾値以上の回数で変化した場合、携帯端末１０ａのユーザーの氏名を管理者へ電子メールで通知する。
【００６８】
また、この構成においては、監視装置３０は、履歴として記憶したリストを解析し、送信されたリストに含まれているＢＤアドレスの数が減少している携帯端末１０を特定し、特定した携帯端末１０を有するユーザーの氏名を、電子メールで管理者へ知らせるようにしてもよい。例えば、監視装置３０は、携帯端末１０ａから送られたリストに含まれるＢＤアドレスの数が減少している場合、携帯端末１０ａのユーザーの氏名を管理者へ電子メールで通知する。
【００６９】
また、この構成においては、リストに含まれているＢＤアドレスが変わる回数が所定の閾値以上の携帯端末１０を特定し、特定したＢＤアドレスを有する携帯端末１０を含むサブグループを管理者へ報知するようにしてもよい。
また、監視装置３０は、履歴として記憶したＢＤアドレスのリストを解析し、予め定められた単位時間内において、送信されたリストに含まれているＢＤアドレスが変わる回数が所定の閾値以上の携帯端末１０を含むグループを特定し、特定した携帯端末１０を有するユーザーの氏名を、電子メールで管理者へ知らせるようにしてもよい。例えば、携帯端末１０ａを有する児童と携帯端末１０ｂを有する児童が、近接したまま、頻繁に児童のグループ内で移動すると、携帯端末１０ａから送信されるＢＤアドレスのリストと携帯端末１０ｂから送信されるＢＤアドレスのリストは、単位時間内において、含まれているＢＤアドレスが大きく変化する。また、ＢＤアドレスを紐付けると、携帯端末１０ａと携帯端末１０ｂは紐付けを維持したまま、紐付けられるＢＤアドレスが単位時間内において大きく変化する。このような場合、携帯端末１０ａと携帯端末１０ｂのユーザーの氏名を電子メールで管理者へ知らせるようにしてもよい。この構成によれば、グループから分裂する虞のある者を管理者へ知らせることができる。
【００７０】
また、サブグループを設ける構成においても、履歴として記憶したＢＤアドレスのリストを解析し、送信されたリストに含まれているＢＤアドレスの数が減少している携帯端末１０のＢＤアドレスのグループを特定し、特定したＢＤアドレスの携帯端末１０を有するユーザーの氏名を、電子メールで管理者へ知らせるようにしてもよい。
例えば、携帯端末１０ａを有する児童と携帯端末１０ｂを有する児童が、近接したまま、児童のグループから離れるように移動すると、携帯端末１０ａから送信されるＢＤアドレスのリストと携帯端末１０ｂから送信されるＢＤアドレスのリストは、含まれているＢＤアドレスが減少していく。また、ＢＤアドレスを紐付けると、携帯端末１０ａと携帯端末１０ｂは紐付けを維持したまま、紐付けられるＢＤアドレスが減少していく。このような場合、携帯端末１０ａと携帯端末１０ｂのユーザーの氏名を電子メールで管理者へ知らせるようにしてもよい。この構成によれば、グループから分裂する虞のある者を管理者へ知らせることができる。
【００７１】
上述した実施形態においては、監視装置３０は、グループが分裂したことを報知する電子メールを、グループの管理者の管理者端末２０へ送信しているが、電子メールの送信先は、グループの管理者以外であってもよい。例えば、上述したように、携帯端末１０を携帯するユーザーが児童である場合、児童の保護者に電子メールを送るようにしてもよい。
【００７２】
また、携帯端末１０に電子メール又はメッセージ送信の機能を設け、グループに属する携帯端末１０へ、グループの分裂を報知する電子メール又はメッセージを送信するようにしてもよい。なお、携帯端末１０へ電子メール又はメッセージを送信する場合、分裂したグループのうち人数の少ないグループに含まれる携帯端末１０へ電子メール又はメッセージを送信してもよく、また、分裂したグループのうち人数の多いグループに含まれる携帯端末１０へ電子メール又はメッセージを送信してもよい。
【００７３】
また、本発明においては、ＢＤアドレスの紐付けの履歴を記憶する構成としてもよい。この構成においては、記憶した履歴に基づいて、分裂したグループにおいてグループが分裂する前に紐付けされていたＢＤアドレスを特定し、特定したＢＤアドレスの携帯端末１０へ、分裂したグループのユーザーの氏名を電子メールで知らせるようにしてもよい。
また、この構成においては、上述の伝搬損失をＢＤアドレスのリストと共に監視装置３０へ送信し、リストの履歴を記憶する際に伝搬損失も記憶するようにしてもよい。そして、グループが分裂する前に紐付けされていたＢＤアドレスを特定する際に、伝搬損失が最も少ない携帯端末１０のＢＤアドレスを履歴に基づいて特定してもよい。
【００７４】
本発明においては、携帯端末１０は、衛星航法システムを利用して位置を測位する測位機能を備える構成であってもよい。また、携帯端末１０が測位機能を備える構成においては、携帯端末１０の位置情報を監視装置３０へ送信し、監視装置３０で携帯端末１０の位置を記憶してもよい。また、監視装置３０で携帯端末１０の位置を記憶する構成にあっては、監視装置３０は、分裂したグループのうち、人数の少ないグループを特定し、特定したグループに含まれている携帯端末１０の位置情報を、電子メールに含めて管理者へ送信するようにしてもよい。また、監視装置３０で携帯端末１０の位置を記憶する構成にあっては、分裂したグループのうち一方のグループに含まれている携帯端末１０の位置情報を、他方のグループに含まれている携帯端末１０へ送り、送られた位置情報が表す位置を携帯端末１０において地図上で表示するようにしてもよい。
【００７５】
また、紐付けされたＢＤアドレスの数をカウントし、カウントされた数を履歴として記憶し、履歴として記憶した数が、予め定められた閾値以上から閾値未満に変化した場合、グループが分裂したと判断する上述の構成においては、監視装置３０は、携帯端末１０の位置情報を取得し、取得した位置情報に応じて、当該閾値を異ならせるようにしてもよい。例えば、監視装置３０は、位置情報が表す位置が人口密度の高い位置である場合には閾値を大きくし、人口密度の低い位置である場合には閾値を低くしてもよい。また、位置情報が表す位置から地形や建築物の密度などを特定し、特定した地形や建築物の密度などに応じて閾値を変更してもよい。
【００７６】
また、本発明においては、閾値に基づいてグループの分裂を判断する構成にあっては、ＢＤアドレスの紐付けの履歴を記憶し、記憶した履歴に基づいて閾値を変更してもよい。例えば、グループが分裂した場合に、分裂したグループにおいて数が少ない方のグループに含まれるＢＤアドレスの数を履歴として記憶する。監視装置３０は、記憶した数の度数分布を求め、度数が最も多い数を閾値としてもよい。
【００７７】
また、本発明においては、閾値に基づいてグループの分裂を判断する構成にあっては、携帯端末１０においてユーザーの生体情報（脈拍や加速度、年齢、身長、体重など）を取得し、取得した生体情報を監視装置３０へ送信してもよい。そして、監視装置３０は、送信された生体情報に応じて、閾値を変更してもよい。
【００７８】
本発明に係る機能を実現するプログラムは、磁気記録媒体（磁気テープ、磁気ディスク（ＨＤＤ（Hard Disk Drive）、ＦＤ（Flexible Disk））など）、光記録媒体（光ディスクなど）、光磁気記録媒体、半導体メモリーなどのコンピュータ読み取り可能な記録媒体に記憶した状態で提供し、各装置にインストールしてもよい。また、通信網を介してプログラムをダウンロードして各装置にインストールしてもよい。
【符号の説明】
【００７９】
１…グループ監視システム、１０、１０ａ〜１０ｊ…携帯端末、２０…管理者端末、３０…監視装置、１０１…制御部、１０２…記憶部、１０３…タッチパネル、１０４…操作部、１０５…通信部、１０９…近距離通信部、３０１…制御部、３０２…記憶部、３０５…通信部、１００１…取得部、１００２…送信部、３００１…受信部、３００２…紐付け部、３００３…通知部
【図１】
0006535536.tif 000002
【図２】
0006535536.tif 000003
【図３】
0006535536.tif 000004
【図４】
0006535536.tif 000005
【図５】
0006535536.tif 000006
【図６】
0006535536.tif 000007
【図７】
0006535536.tif 000008
【図８】
0006535536.tif 000009
【図９】
0006535536.tif 000010
【図１０】
0006535536.tif 000011
【図１１】
0006535536.tif 000012
【図１２】
0006535536.tif 000013
【図１３】
0006535536.tif 000014
【図１４】
0006535536.tif 000015
【図１５】
0006535536.tif 000016
【図１６】
0006535536.tif 000017
【図１７】
0006535536.tif 000018
【図１８】
0006535536.tif 000019
【図１９】
0006535536.tif 000020
【図２０】
0006535536.tif 000021
【図２１】
0006535536.tif 000022
【図２２】
0006535536.tif 000023
【図２３】
0006535536.tif 000024
【図２４】
0006535536.tif 000025
【図２５】
0006535536.tif 000026